(57)【特許請求の範囲】
【請求項１】
植え付けと同時に施肥を行える施肥装置を備えるとともに、左右最外側の分割苗載台および植付伝動ケースを機体内方側に折り畳み自在に構成した植付部とを走行車体後側に備える田植機において、
前記施肥装置は、肥料タンクと施肥ノズルと供給チューブとを含み、前記肥料タンクと接続される供給チューブと前記植付部に設けられた施肥用の施肥ノズルとが、差込部と嵌合部とからなるワンタッチカプラで連結され、
かつ前記田植機の車体側には、保持器として前記ワンタッチカプラの嵌合部を有する取付部材が設けられ、取外した前記供給チューブが前記嵌合部に連結して前記車体側に固定されることを特徴とする施肥装置を備えた田植機。
【発明の詳細な説明】
【０００１】
【発明の属する技術分野】
本発明は、左右最外側の植付部が折り畳み収納可能な施肥装置を備えた田植機に関するものであり、詳しくは、施肥装置の供給チューブの脱着機構に関するものである。
【０００２】
【従来の技術】
従来より、植付部の各フロート近傍でロータリーケース毎、即ち条毎に施肥ノズルを設けて、植え付けと同時に施肥を行うことができるようにする施肥装置を備えた田植機がある。
また、例えば１０条などの多条用田植機にあっては、左右最外側のそれぞれ２条分の植付部と苗載台は折り畳んで収納することができるようになっている。
【０００３】
【発明が解決しようとする課題】
しかしながら、このような多条用田植機に施肥装置を設けた場合、左右最外側の植付部の折り畳み収納時、各植付部の条毎に施肥ノズルが設けられているので、折り畳み可能な左右最外側の植付部の施肥ノズルに接続されている供給チューブが折り畳み操作の邪魔になり、折り畳み収納できないという不具合がある。そこで、本発明は、供給チューブが邪魔にならずに、左右最外側の植付部を折り畳み収納できる施肥装置を備えた田植機を得ることを目的とするものである。
【０００４】
【課題を解決するための手段】
本発明は、以上のような目的を達成するために、次のような施肥装置を備える田植機を提供するものである。すなわち、植え付けと同時に施肥を行える施肥装置を備えた田植機において、前記施肥装置の施肥ノズルと供給チューブとをワンタッチカプラで連結したことを特徴とする施肥装置を備えた田植機である。そして更に、田植機の車体側に、施肥ノズルから外した供給チューブを連結可能な保持器を設けたことを特徴とするものである。
【０００５】
【発明の実施の形態】
以下、本発明の実施の形態を図面に示す実施例を基に説明する。
まず、田植機全体について説明する。図４は田植機の平面図、図５は同じく側面図である。図中（１）は作業者が搭乗する走行車体であり、前部にエンジン（２）を搭載する車体フレーム（３）の後部にミッションケース（４）が設けられ、ミッションケース（４）の前方両側にフロントアクスルケース（５）を介して水田走行用前輪（６）を支持させるとともに、ミッションケース（４）の後部両側にリヤアクスルケース（７）を介して水田走行用後輪（８）を支持させている。
そして、エンジン（２）等を覆うボンネット（９）の両側に予備苗載台（１０）を取り付けるとともに、ステップ（１１）を形成する車体カバー（１２）によってミッションケース（４）等を覆い、車体カバー（１２）上部に運転席（１３）を取り付け、その運転席（１３）の前方に走行ハンドル（１４）を設けている。
【０００６】
図中（１５）は多条（図示のものは１０条）植え用の苗載台（１６）並びに複数の植付爪（１７）などを具備する植付部であり、前高後底の前傾式苗載台（１６）を、下部ガイドレール（１８）及び上部ガイドレール（１９）を介して、中央及び左右の植付伝動ケース（２０）に対して左右往復摺動自在に支持させるとともに、一方向に等速回転させるロータリーケース（２１）を植付伝動ケース（２０）に支持させ、ロータリーケース（２１）の回転軸芯を中心として対称となる位置に一対の植付爪ケース（２２）を配設し、その植付爪ケース（２２）の先端に植付爪（１７）を取り付けている。
【０００７】
そして、植付伝動ケース（２０）の下方に、中央及び左右の植付用均等フロート（２３）（２４）を植付深さ調節リンク（２５）及び植付深さ調節支持軸（２６）などを介して支持するとともに、植付伝動ケース（２０）を植付用ミッションケース（２７）に連設し、トップリンク（２８）及びロワーリンク（２９）を含む３点リンク機構（３０）を用いて、走行車体（１）後側に植付用ミッションケース（２７）を介して植付部（１５）を連結し、植付部（１５）を昇降させる油圧シリンダー（３１）を走行車体（１）後部とロワーリンク（２９）との間に介設して、油圧シリンダー（３１）の伸縮動作で植付部（１５）を昇降させるように構成する一方、植付部（１５）を降下させてフロート（２３）（２４）を着地させ、左右に往復摺動する苗載台（１６）から１株分の苗を植付爪（１７）によって順次取り出して植え付けるように構成している。なお、図中（３２）は走行変速レバー、（３３）は植付昇降レバー、（３４）は植付深さ感度調節レバー、（３５）は走行クラッチペダル、（３６）は右右のブレーキペダルである。
【０００８】
また、このような１０条植え用などの多条用田植機にあっては、苗載台（１６）及び植付伝動ケース（２０）など、植付部（１５）の左右最外側の各２条分が機体内方側に折り畳み自在に構成されており、このときの苗載台（１６）は、左右最外側の各２条分の苗載台が分割されて、折り畳み自在な分割苗載台（１６ｂ）に形成されている。具体的には、図２で示すように、機体中央側の６条用苗載台本体（１６ａ）に並行折り畳み機構（屏風折り機構）（３７）を介して分割苗載台（１６ｂ）が連結され、苗載台本体（１６ａ）の作用面上方に略平行で、かつ２段に分割苗載台（１６ｂ）が折り畳み収納されるようになっており、折り畳んだときに、苗載台（１６）の左右全幅が略６条分の田植機の幅と等しくなるように構成されている。
【０００９】
そして、植付伝動ケース（２０）の左右最外側の各２条分も、ロータリーケース（２１）や植付爪ケース（２２）、フロート（２４）などの関連部品と一体に折り畳み自在となるように構成されており、植付伝動ケース（２０）間を連結する伝動パイプ（４０）や植付深さ調節支持軸（２６）などにおいては、左右最外側の植付伝動ケース（２０ｂ）と、これより内側の植付伝動ケース（２０ａ）との間の略中央より若干外側で分割可能に構成されるとともに、固定側の中央６条分の３つの植付伝動ケース（２０ａ）の後端間を各ブラケット（４１ａ）を介して支点フレーム（４２）で連結し、分割側の左右最外側の各２条分の２つの植付伝動ケース（２０ｂ）後端にブラケット（４１ｂ）を介して固設する回動フレーム（４３）と支点フレーム（４２）とを回動支点軸（４４）を介して連結し、固定側の中央６条分の３つの植付伝動ケース（２０ａ）に対し、左右最外側の各２条分の２つの植付伝動ケース（２０ｂ）を、回動支点軸（４４）を介して略１８０度機体内方側に回動させて、中央固定側の植付伝動ケース（２０ａ）の後方で、かつ折り畳まれた分割苗載台（１６ｂ）より後方位置に折り畳み収納するように構成している。
【００１０】
回動支点軸（４４）は、前高後低状に略４５度に傾斜させて、支点フレーム（４２）の左右両端の苗載台（１６）の６条幅位置、即ち左右最外側の植付伝動ケース（２０ｂ）と、それより内側の植付伝動ケース（２０ａ）の間の略中央に配置させるもので、支点フレーム（４２）の左右両端に固設する筒軸と、左右回動フレーム（４３）の内端に固設する筒軸とを下及び上位置に重接嵌合させて蝶番に形成し、前記支点フレーム（４２）と回動フレーム（４３）が、各筒軸の重接面から下及び上方向に等距離離れた位置で相互に連結するように構成されている。そして、この回動支点軸（４４）を中心として分割側の回動フレーム（４３）を略１８０度機体内方側に回動させたときには、分割側の植付伝動ケース（２０ｂ）が前端側を上方向とした垂直姿勢に折り畳み収納されるように構成されている。したがって、分割側の植付伝動ケース（２０ｂ）の折り畳み時にあっては、固定側の左右両側の植付伝動ケース（２０ａ）後方に、支点フレーム（４２）を中心として対称となるように植付伝動ケース（２０ｂ）が折り畳み収納される。
【００１１】
また、このとき、分割側の植付伝動ケース（２０ｂ）を折り畳み姿勢でロックするロック部材である左右のステー（４５）が設けられている。すなわち、支点フレーム（４２）の後面略中央の取付台（４６）に枢軸（４７）を介して回動自在にステー（４５）の基端を取り付け、通常の作業状態にあっては、支点フレーム（４２）の後面に沿わせるようにしてステー（４５）を収納保持しておき、分割側の植付伝動ケース（２０ｂ）の折り畳み収納時にあっては、植付伝動ケース（２０ｂ）の伝動パイプ（４０）とは反対側部に突出する軸ケース（４８）のロックボルト（４９）に、ステー（４５）の先端を固定させて、分割側の植付伝動ケース（２０ｂ）が垂直姿勢で収納保持されるように構成している。
【００１２】
また、固定側の植付伝動ケース（２０ａ）と分割側の植付伝動ケース（２０ｂ）間を連結する伝動パイプ（４０）の分割部には結合ロック機構が設けられており、通常時には固定側の伝動パイプ及び分割側の伝動パイプ内の植付伝動軸のクラッチを継続状態とするように構成している。
また、植付深さ調節支持軸（２６）の分割部にも軸結合機構が設けられており、（５０）はその位置規制体であるＬ字型の規制ピンである。
【００１３】
以上のような構成の田植機にペースト施肥装置が設けられている。図中（５１）はペースト状の肥料が貯留されているペースト肥料タンクであり、ボンネット（９）の両側に配置されている。そして、ペースト肥料タンク（５１）に接続されている供給チューブ（５２）が車体フレーム（３）の下部に設けられているポンプ（図示しない）を介して運転席（１３）後方に配置されたバルブ（５３）の前面に接続され、バルブ（５３）の後面に接続された供給チューブ（５４）がフロート（２３）（２４）近傍にブラケット等を介して取り付けられた施肥ノズル（５５）に接続されて、植え付けと同時に施肥を行うことができるようになっている。
施肥ノズル（５５）は各条毎に設けられており、バルブ（５３）に設けられた各々の開閉コック（５６）によって、各施肥ノズル毎に肥料の供給が制御できるようになっている。
【００１４】
このような構成の施肥装置を備えた田植機において、前述のように左右最外側の各２条分の分割苗載台（１６ｂ）及び植付伝動ケース（２０ｂ）等を折り畳み収納する際には、施肥ノズル（５５）に接続されている供給チューブ（５４）が邪魔になって、折り畳むことができないなどの不具合が生じる。
そこで、本発明では、図１、図２で示すように、少なくとも左右最外側の各２条分の供給チューブ（５４）と施肥ノズル（５５）との連結部（５７）をワンタッチカプラ（５８）で構成し、施肥ノズル（５５）からの供給チューブ（５４）の脱着を簡単に行えるようにするとともに、取り外した供給チューブ（５４）を走行車体（１）側に固定できるようにした。
【００１５】
ワンタッチカプラ（５８）は、図３（イ）で示すように、差込部であるプラグ（５８ａ）と嵌合部であるアダプター（５８ｂ）とで構成されており、アダプター（５８ｂ）にプラグ（５８ａ）を差し込むだけでワンタッチで連結できるとともに、取り外すときにもアダプター（５８ｂ）からワンタッチでプラグ（５８ａ）を外せるように構成されているものである。
したがって、図示のように供給チューブ（５４）の先端にプラグ（５８ａ）を接続し、施肥ノズル（５５）をアダプター（５８ｂ）に接続して、供給チューブ（５４）から供給されてきた肥料が、ワンタッチカプラ（５８）内を通過して施肥ノズル（５５）に供給できるように構成すれば、施肥ノズル（５５）からの供給チューブ（５４）の脱着が手指でもってきわめて容易に行うことができることになり、施肥ノズル（５５）から供給チューブ（５４）を取り外すことによって、左右最外側の各２条分の植付伝動ケース（２０ｂ）等の折り畳み収納が可能となる。
【００１６】
そして更に、走行車体（１）側、例えば運転席（１３）の後方に配置されているバルブ（５３）の両側方に、図３（ロ）で示すような取付部材（５９）を立設するとともに、その上部に保持器としてのワンタッチカプラのアダプター（５８ｃ）を２個設け、左右最外側の各２条分の施肥ノズル（５５）のアダプター（５８ｂ）から取り外した各２条分のプラグ（５８ａ）付き供給チューブ（５４）を、そのアダプター（５８ｃ）に連結して走行車体（１）側に固定するように構成しておけば、取り外した後の左右最外側の各２条分の供給チューブ（５４）を邪魔にならないように処置することができる。
【００１７】
つまり、図１で示すような通常の作業状態から、図２で示すような左右最外側の各２条分の植付伝動ケース（２０ｂ）等を折り畳み収納した状態にするとき、その左右最外側の各２条分の供給チューブ（５４）をワンタッチカプラ（５８）によって容易に取り外すことができ、しかもその取り外した左右各２本の供給チューブ（５４）を、同じくワンタッチカプラによって車体側に固定保持させておくことができるので、このような施肥装置が備えられた田植機であっても、何ら不都合なく植付伝動ケース（２０ｂ）等を折り畳み収納することができるようになる。
なお、ワンタッチカプラの構造や車体側の取付位置等は、図示のものに限定されるものではなく、本発明の精神の範囲内において、適宜設計変更可能なものである。
【００１８】
【発明の効果】
本発明によれば、施肥装置の施肥ノズルと供給チューブとをワンタッチカプラで連結したので、施肥ノズルからの供給チューブの脱着を手指でもってきわめて容易に行うことができ、施肥装置を備えた田植機であっても、供給チューブが邪魔になるような不具合が生じず、左右最外側の植付部を折り畳み収納することができる。
また、田植機の車体側に、施肥ノズルから外した供給チューブを連結可能な保持器を設けてあるので、左右最外側の植付部を折り畳んで収納した際に、取り外した供給チューブを邪魔にならないように処置することができる。
【図面の簡単な説明】
【図１】植付部の側面図
【図２】最外側が折り畳まれた植付部の側面図
【図３】（イ）施肥ノズルと供給チューブとの連結部を示す斜視図、
（ロ）供給チューブの車体側の連結部を示す斜視図
【図４】田植機の平面図
【図５】同上の側面図
【符号の説明】
５１  ペースト肥料タンク
５２  供給チューブ
５３  バルブ
５４  供給チューブ
５５  施肥ノズル
５６  開閉コック
５７  連結部
５８  ワンタッチカプラ
５９  取付部材
【図１】
0003776572.tif 000002
【図２】
0003776572.tif 000003
【図３】
0003776572.tif 000004
【図４】
0003776572.tif 000005
【図５】
0003776572.tif 000006